(57)【要約】      （修正有）【課題】主としてワカサギ釣りにおいて、当たり（魚信）が容易確実に採れるスライドガイド式釣り竿穂先を提供する。【解決手段】複数段に重ねた弾力性のある板材２〜４で穂先体１を形成し、上段の板材２を最も長く設定し、２番目に長い中段の板材３の先端頭部３１に上段の板材２の中央部から前半部Ａを摺動自由に挿通して支受するガイド穴５を設け、最も短い下段の板材４の先端頭部４１に中段の板材３の中央部から後半部Ｂを挿通して支受するガイド穴を設けるか又はガイド穴を設けないでその先端部で中段の板材３の底面を接触して支受するようにし、上中下段の板材２ｎ、３ｎ、４ｎを重ねた穂先体１の基部を結束して接続ホルダー６に装着した。【選択図】図３
0003220328.tif 000002
【実用新案登録請求の範囲】
【請求項１】
複数段に重ねたバネ性のある板材（２）〜（４）で穂先体（１）を形成し、上段の板材（２）を最も長く設定し、２番目に長い中段の板材（３）の先端部に上段の板材（２）の中央部（Ｃ）から前半部（Ａ）を摺動自由に挿通して摺動可能に支受するガイド穴（５）を設け、最も短い下段の板材（４）の先端頭部（４１）に中段の板材（３）の中央部（Ｃ）から後半部（Ｂ）を挿通して支受するガイド穴（５′）を設けるか又はその先端部（４２）で中段の板材（３）の底面を摺動可能に支受すると共に、上中下段の板材基部（２ｎ・３ｎ・４ｎ）を重ねた穂先体（１）の基部（１ｎ）を接続ホルダー（６）に装着したことを特徴とするスライドガイド式釣り竿穂先。
【請求項２】
中段の板材（３）を緩やかな下向き弧状に形成し、その中央部（Ｃ）から後半部（Ｂ）を挿通して摺動可能に支受する四角いガイド穴（５′）で下段の板材（４）の先端頭部（４１）に設けた請求項１記載のスライドガイド式釣り竿穂先。
【請求項３】
中段の板材（３）の基部に近い後半部（Ｂ）の底面を略逆「へ」の字形又は広角のＶ字形を成す下段の板材（４）のガイド穴のない先端部（４２）で接触して摺動可能に支受した請求項１記載のスライドガイド式釣り竿穂先。
【請求項４】
下段の板材（４）の基部（４１）を接続ホルダー（６）の接続部（６１）に脱着できるように装着した請求項１から請求項３いずれか記載のスライドガイド式釣り竿穂先。
【考案の詳細な説明】
【技術分野】
【０００１】
本考案は、主としてワカサギ釣りにおいて、当たり（魚信）が容易確実にとれるスライドガイド式釣り竿穂先の構造に関するものである。
【背景技術】
【０００２】
一般に、比較的魚体の小さい魚釣りのうち、ワカサギ釣りは、秋から冬の時期に湖や大きな沼において、ボートでの釣りを行う。また、厳冬において分厚く氷結した湖上で氷に穴をあけ、その穴にワカサギ釣りに適した釣り竿を使い、釣り糸を垂下して釣りを行う。
【０００３】
これらのワカサギ釣りに用いる釣り竿穂先は、ステンレスや強靭なプラスチック加工されたバネ性のある薄い板材が用いられていることは知られている。
【先行技術文献】
【特許文献】
【０００４】
【特許文献１】特開平１０−２７６６２６号公報
【特許文献２】特開２０１０−１０４３４１号公報
【特許文献３】実用新案登録第３１９０７１４号公報
【特許文献４】実用新案登録第３１２５４６９号公報
【０００５】
特許文献１は、穴釣り用釣り竿穂先部およびこれを取付けた穴釣り用釣り竿に関し、ステンレス又はリン青銅製の板体の先端方向に向けて徐々に幅細であると共に、部材の表裏両面を先端方向に向かって徐々に薄く形成し、穂先部の基部厚みに対して先端厚みを五分の一乃至三十分の一に形成した構成である。これによって、釣竿の穂先が極めて嫋やかであると共に復元性に富むものであるから、ワカサギの微妙なアタリも穂先に鋭敏に表れるという効果があるとしている。
【０００６】
本考案にあっては、ステンレス等の極薄で均一厚さの板材を用いる点が異なる。さらに極薄板材の長さを上段から下段に行くに従って先端が短くなる複数段の板材を重ねて構成する点が構造的に異なっている。
【０００７】
特許文献２は、水分に晒される部分を最小限に抑えて、接着力が低下するのを抑制するものであるが、その構造は、１本の薄肉扁平状の穂先竿の基部に複数枚の補強シートを積層して加熱成形して一体化した構造である。しかし、先端の長さが異なるバネ性のある板材を長い板材から上段から順に重ねて基部を揃える構造の本考案とは異なる。
【０００８】
特許文献３は、穂先のしなやかさを長さに合わせて容易に、しかも安価に製作できる釣竿穂先部に関するものであるが、バネ性のある複数の板材を長さ方向に重ねて端部同士を接着又はロウ付けして１本の板状とした構造は、長さが異なるバネ性のある板材を長い板材から順に重ねて基部を揃える構造の本考案とは異なる。
【０００９】
特許文献４は、小さなアタリでも先端が大きく撓むようにした釣り竿の穂先構造であり、長さの異なる可撓性のある複数の板材を上層から下層に行くにしたがって長くなる構造にしてある。これに対して長さが異なるバネ性のある板材を上段に１番長い板材とし、下段が1番短い板材にした本考案の構造とは異なる。
【考案の概要】
【考案が解決しようとする課題】
【００１０】
特許文献１は基端部を厚くし先端に向かって徐々に薄くなる釣り竿の穂先は、高度の技術を要し、且つコスト高になる。
【００１１】
特許文献２は、１枚の穂先竿の基端複数枚のくさび上状部材で補強した基端部に特長が構造であり、その基端部から先は通常の1枚の板材である。
【００１２】
特許文献３は、文献１の発明に係る釣り竿穂先を改良するもので、３本の厚さの異なる板材を基部から先端に向かって薄い順に先端部と次位の基端部をロウ付けにて接着して1本の釣り竿を構成しているが、そのロウ付け作業に熟練を要し、且つ複数個所のロウ付け部の嫋やかさに課題が残っている。
【００１３】
特許文献４は、上層から下層に向かって長さが長くなる構造であり、基端部は複数層固定してあるが、その前方は全て独立していて、釣竿の穂先となる下層の板材を支持するような構造にはなっていない。
【００１４】
本考案は、上記の各特許文献の発明等とは異なり、複数段に重ねた長さの異なるバネ性のある極薄の板材であって、1番長い板材を最上段にし、次段以下の板材で最上段の板材をしなりに応じて自由に摺動可能に支受する。そして、魚のごく小さな当たりを自然のしなりの変化で素早く感触を得、また視認で確実に感知できるようにしたものである。しかも板材の基部は単一枚では極薄で弱いが複数枚重ねてリール側に接続することにより頑丈となる。
【課題を解決するための手段】
【００１５】
本考案の第１は、スライドガイド式釣り竿穂先において、複数段に重ねたバネ性のある板材で穂先体を形成し、上段の板材を最も長く設定し、２番目に長い中段の板材の先端部に上段の板材の中央部から前半部を摺動自由に挿通して摺動可能に支受するガイド穴を設け、最も短い下段の板材の先端部に中断の板材の中央部から後半部を挿通して支受するガイド穴を設けるか又はその先端部で中断の板材の底面を接触して摺動可能に支受するようにし、上中下の各段の板材基部を重ねた穂先体の基部を接続ホルダーに装着したものである。
【００１６】
本考案の第２は、第１の考案に係るスライドガイド式釣り竿穂先において、中段の板材を緩やかな下向き弧状に形成し、その中央部から後半部を挿通して摺動可能に支受する四角いガイド穴で下段の板材の先端頭部に設けたものである。
【００１７】
本考案の第３は、第１の考案に係るスライドガイド式釣り竿穂先において、中段の板材の基部に近い後半部の底面を略逆「へ」の字形、又は広角Ｖ字形を成す下段の板材のガイド穴のない先端部で常時接触して摺動可能に支受したものである。
【００１８】
本考案の第４は、第１から第３のいずれかの考案に係るスライドガイド式釣り竿穂先において、下段の板材の基部を電動リール又は手動リール付き竿杆に脱着できるように装着したものである。
【考案の効果】
【００１９】
本考案は上記の構成であるから、次のような作用効果がある。
第１に、上段から下段になるに従って短くなる３枚のバネ性のある板材を重ねて基部だけを結束したから、上段の板材が中央部付近から先端部を下方に向かって少しでも引く力すなわち負荷が加わると上段の板材が自然でしなやかな弧状を得ることができる。
【００２０】
第２に、中段の板材先端のガイド穴に上段の板材を挿通させたことによって、魚の引き具合によって負荷により自然な撓（しな）りによって上段のバネ性のある板材をスムーズにスライドさせることができる。
【００２１】
第３に、上段の板材を挿通するガイド穴付きの中段の板材と、その中段の板材の後半部位を支受するガイド穴付き又は先端で支受する下段の板材との組み合わせによって、ワカサギのような繊細で小さくて弱い当たりでも容易且つ確実に視認して感知できる。
【００２２】
第４に、上中下の各段の板材を適宜にずらした状態で重ねた３枚のバネ効果により、魚の針掛かりが良くなる。
【００２３】
第５に、上段から下段に行くに従って短くなるバネ性のある板材の頭部ガイド穴でスライド可能に支受するので、中段及び下段の板材と共に自然な撓りによって、釣り竿穂先になる最上段の長い板材の撓り効果がより向上する。
【００２４】
第６に、小さい微妙な当たりでも穂先の先端の変化や釣り糸を通して容易に感触が得られるから、釣れた魚を素早く釣り針から外して次のワカサギ釣りに備えることができる。
【図面の簡単な説明】
【００２５】
【図１】本考案に係る釣り竿穂先を電動リールに接続した使用状態を示す斜視図である。
【図２】図１の釣り針に当たりがあって魚が釣り糸を引いている状態の斜視図である。
【図３】下段の板材を略逆「へ」の字形にして中段の板材を下段の板材ガイド穴に挿入して支受している状態の側面図である。
【図４】図３の中段及び下段の略逆「へ」の字形板材で緩やかな弧状を成す上段に板材を挿入支受している状態の側面図である。
【図５】図３の先端頭部にガイド穴のない略逆「へ」の字形を成す下段の板材の先端部で中段の板材を支受している状態の側面図である。
【図６】図３の平面図である。
【図７】図３の底面図である。
【図８】釣り竿の穂先体となる上段の板材の平面図である。
【図９】中段の板材の平面図である。
【図１０】先端頭部にガイド穴を設けてある下段の板材の平面図である。
【図１１】先端に頭部ガイド穴を設けてない下段の板材の平面図である。
【図１２】接続ホルダーの平面図である。
【図１３】各段の板材基部を接続ホルダーに接続している状態の一部を破断した状態の平面図である。
【図１４】図１３の１４−１４線に沿う拡大断面図である。
【図１５】各段の板材基部を接続ホルダーに接続する部位の分解斜視図である。
【考案を実施するための形態】
【００２６】
上下に３段に重ねたバネ性のある長さの異なる板材で穂先体を形成し、上段の釣り竿穂先となる板材を最も長く設定し、２番目に長い中段の板材の先端部に上段の板材の中央部から前半部を摺動自由に挿通して支受するガイド穴を設け、最も短い下段の板材の先端部に中断の板材の中央部から後半部を挿通して支受するガイド穴を設けて中断の板材をスライド可能に支受するようにし、上中下の各段の板材基部を揃えて結束して接続ホルダーに取り付けたものである。
【００２７】
上記下段の板材４は、釣りの季節や場所、気温等によって上段の釣り穂先になる板材２のしなり具合を調節するために長さの異なるものに交換できるように接続ホルダーに脱着できるようにしておく。
【実施例１】
【００２８】
次に、本考案に係るスライドガイド式釣り竿穂先の実施例を図面に即して説明する。１は釣り竿穂先体であり、上中下の３段に重ねたバネ性のある板材で構成されている。そのバネ性のある材質はステンレスを可とするが、リン青銅や可撓性のある強靭なプラスチック等でも可能である。２は釣り竿穂先になる上段の板材であり、釣り竿穂先として使うために最も長く設定されている（図８）。３は中段の板材であり、その先端の頭部に上段の板材２が、その長さ方向の中央部Ｃから前半部Ａにかけて挿通できるガイド穴５を形成してある（図９）。４は下段の板材であり、その先端頭部４１に中段の板材３の適宜個所にかけて挿通して支受するガイド穴５を形成してある（図１０）。
【００２９】
上記の下段の板材４は、図１０のほかに図１１のように先端頭部４１のガイド穴５を省略した長さ方向の途中を略逆「へ」の字形に屈曲し、ガイド穴なしの頭部先端４２で中段の板材３を適宜の個所で常時接して摺動可能に支受している。なお、当該下段の板材４を略広角のＶ字形に形成することもある（図５）。
【００３０】
５・５′は中段の板材３及び板材４の先端頭部に形成した上段の板材２及び中段の板材３を挿入する四角いガイド穴、６は穂先体の基部２ｎ，３ｎ、４ｎを揃えて結束した釣り竿穂先の板材基部１ｎを接続部６１に装着する接続ホルダーである。
【００３１】
７は上段の板材に設けた釣り糸通しリング、８は電動リールから繰り出して釣り糸通しリングに通した釣り糸、９は釣り糸先端部に取り付けた釣り針、図中Ｒが電動リール、Ｒ１は電動リールＲの竿穂先体１の基部１ｎを接続するためのジョイント部を示す。
【００３２】
上記ジョイント部Ｒ１は円形パイプ接続ホルダー６内において、上側の溝付き竿穂先体の基部１ｎの押さえ部材１１と、下側の溝付きの基部押さえ部材１１によって、上中下の板材２・３・４の基部２ｎ・３ｎ・４ｎを重ねた穂先体1の基部１ｎを上下の押さえ部材１１１・１１２の溝内に納め、接続ホルダー６の孔１４と押さえ部材１１のネジ孔１２に挿通して穂先体１の基部１ｎ（２ｎ、３ｎ、４ｎ）を固定する。上記の穂先体１のうち、上段の板材２と中段の板材３の基部は押さえ部材１１を介して接続部材６に固定することもあるが、下段の板材４は釣り条件に応じて交換するためボルト１３と押さえ部材１１の雌ネジ１２螺合によって簡単に着脱できるようにすることが好ましい。
【００３３】
[具体的な組立て例]
上段の板材２の先端を中段の板材３の四角いガイド穴５に平面から挿入する。次に中段の板材３を、その基部３ｎを下段の板材４の四角いガイド穴５′に底面側から挿入して中央部Ｃから基部にかけた部位を下段の板材４の平面に位置させる。そして、上中下段の板材の基部２ｎ・３ｎ・４ｎを面位置に揃えて接続ホルダー６の接続部６１に接続して熱収縮チューブ１５を被覆して固定する。
【００３４】
上記の下段のガイド穴５付きの板材４に代えて頭部にガイド穴のない先端部４２にあっては、逆「へ」の字形又は広角Ｖ字形の先端で中段の板材３の底面に接して摺動可能に支受するようにしてある。
【００３５】
次に、釣り糸通しリング７の基部を上段の板材２に先端から略２．５〜３．０ｍｍ間隔で粘着テープ１５を介して固着する。
【００３６】
上記の上中下段の板材２・３・４の基部（２ｎ・３ｎ・４ｎ）を重ねた釣り竿穂先体１の基部１ｎを接続した接続ホルダー６を電動リール６のジョイントＲ１に接続する。この場合、電動リールＲに代えて手動の釣り竿に設けたジョイントに接続ホルダー６を接続することもできる。
【００３７】
[具体的な使用例]
本考案に係るスライドガイド穴式釣り竿穂先の使用例は以下のとおりである。釣り糸８を上段の板材２の先端から繰り出して水中に垂らしてワカサギ釣りにおいて、小さい形のワカサギの小さな当たりがあると、上段の板材２が中段の板材３のガイド穴５をスライドして自然な撓り、すなわちしなやかに撓むから、釣り人は穂先先端のリング７や釣り糸の微妙な振動や変化などを瞬時に感知して釣竿を引き上げてワカサギを釣り上げることができる。
【００３８】
また、下段の板材４は、釣りの季節や場所、気温等によって上段の釣り穂先になる板材２の撓り具合を調節する必要があるときは、その条件に応じて、例えば図１・図１０のガイド穴５′付きの下段の板材４だけを図５・図１１のガイド穴なしの下段の板材４に付け替えることによって、釣果の向上が図れる。
【産業上の利用可能性】
【００３９】
本考案に係るスライドガイド穴式釣り竿穂先は、ワカサギ釣りに限らず、これに類する小形の魚で当たりの弱い魚釣りに好適である。
【符号の説明】
【００４０】
１…釣り竿の穂先体
１ｎ…穂先体の基部
２…上段の板材
２ｎ…上段の板材の基部
３…中段の板材
３ｎ…中段の板材の基部
４…下段の板材
４ｎ…下段の板材の基部
５…中段の板材の頭部に設けた上段の板材ガイド穴
５′…下段の板材の頭部に設けた中段の板材ガイド穴
６…接続ホルダー
７…釣り糸通しリング
８…釣り糸
９…釣り針
１０…板材基部のボルト通し孔
１１…板材の押さえ部材
１２…押さえ部材のネジ孔
１３…板材固定用のボルト
１４…接続ホルダーのボルト通し孔
１５…板材の基部を被覆する熱収縮チューブ
Ｒ…電動リール
Ｒ１…電動リールのジョイント部
【図１】
0003220328.tif 000003
【図２】
0003220328.tif 000004
【図３】
0003220328.tif 000005
【図４】
0003220328.tif 000006
【図５】
0003220328.tif 000007
【図６】
0003220328.tif 000008
【図７】
0003220328.tif 000009
【図８】
0003220328.tif 000010
【図９】
0003220328.tif 000011
【図１０】
0003220328.tif 000012
【図１１】
0003220328.tif 000013
【図１２】
0003220328.tif 000014
【図１３】
0003220328.tif 000015
【図１４】
0003220328.tif 000016
【図１５】
0003220328.tif 000017